(57)【要約】【課題】広範囲の周波数帯域で適正に所望のインピーダンス特性を確保する。【解決手段】コイル構造１は、インピーダンスの周波数特性が異なる複数のコア部材２と、複数のコア部材２に巻かれた巻線部材３と、を備えている。複数のコア部材２は、互いに独立したＭｎ−Ｚｎ系の第１コア部材２ａとＮｉ−Ｚｎ系の第２コア部材２ｂとを備えている。第１コア部材２ａおよび第２コア部材２ｂは円環状の形状を有している。巻線部材３は、複数のコア部材２に順次巻かれており、コア部材２の周方向に進むらせん状に同じ向きに巻かれている。巻線部材３は、同軸ケーブルであって、導体の芯線と、芯線を覆う誘電体の絶縁層と、絶縁層を覆う導体のシールド編組線と、を備えている。【選択図】図１
2014160704.tif 000002
【特許請求の範囲】
【請求項１】
インピーダンスの周波数特性が異なる複数のコア部材と、
前記複数のコア部材に巻かれた巻線部材と、を備える、
ことを特徴とするコイル構造。
【請求項２】
前記複数のコア部材は互いに独立しており、
前記巻線部材は、前記複数のコア部材に順次巻かれている、
ことを特徴とする請求項１に記載のコイル構造。
【請求項３】
前記複数のコア部材は一体に単一のコアを形成しており、
前記巻線部材は、前記コアに巻かれている、
ことを特徴とする請求項１に記載のコイル構造。
【請求項４】
前記コアは環状に形成され、
前記複数のコア部材は、前記コアの軸方向に積層されて、前記コアを形成している、
ことを特徴とする請求項３に記載のコイル構造。
【請求項５】
前記コアは環状に形成され、
前記複数のコア部材は、前記コアの軸方向に直交する方向に積層されて、前記コアを形成している、
ことを特徴とする請求項３に記載のコイル構造。
【請求項６】
前記巻線部材は複数の導体を備え、
前記複数の導体はバイファイラ巻きまたはキャンセル巻きによって、前記複数のコア部材に巻かれている、
ことを特徴とする請求項１から請求項５の何れか１つに記載のコイル構造。
【請求項７】
前記複数の導体は絶縁材を介して同軸に配置されて同軸ケーブルを形成しており、
前記複数の導体はバイファイラ巻きによって、前記複数のコア部材に巻かれている、
ことを特徴とする請求項６に記載のコイル構造。
【請求項８】
前記同軸ケーブルはインピーダンス整合されている、
ことを特徴とする請求項７に記載のコイル構造。
【請求項９】
請求項１から請求項８の何れか１つに記載のコイル構造を有し、コモンモードノイズまたはノーマルモードノイズを減衰させる減衰手段を備える、
ことを特徴とする電子機器。
【発明の詳細な説明】
【技術分野】
【０００１】
この発明は、コイル構造および電子機器に関する。
【背景技術】
【０００２】
従来、共通のコアに２本のコイルを同じ向きに巻いたバイファイラ巻きのコモンモードチョークコイルによって２本の信号線のコモンモードノイズを低減する信号伝送回路が知られている（例えば、特許文献１参照）。
【先行技術文献】
【特許文献】
【０００３】
【特許文献１】特開２００５−３５４１４０号公報
【発明の概要】
【発明が解決しようとする課題】
【０００４】
ところで、上記従来技術に係る信号伝送回路によれば、例えば電気電子コンポーネントから発生する電磁妨害波を詳細に測定する電磁妨害波測定装置などにおいて、広範囲の周波数帯域（例えば、ＡＭラジオおよびＦＭラジオの周波数帯域など）に対してコモンモードインピーダンスを増大させるためには、コイルの巻線回数を増大させる必要が生じる。
しかしながら、コイルの巻線回数を増大させると、コイル間の容量結合が増大することによって、高周波領域でコモンモードインピーダンスが低下してしまうという問題が生じる。また、コモンモードインピーダンスを増大させることに加えて、ノーマルモードインピーダンスを低下させる必要がある場合に対しては、コイルの巻線回数を増大させると、コイル自体が有するインダクタンスによってノーマルモードインピーダンスが増大してしまうという問題が生じる。
【０００５】
本発明は上記事情に鑑みてなされたもので、広範囲の周波数帯域で適正に所望のインピーダンス特性を確保することが可能なコイル構造および電子機器を提供することを目的としている。
【課題を解決するための手段】
【０００６】
上記課題を解決して係る目的を達成するために、本発明は以下の態様を採用した。
（１）本発明の一態様に係るコイル構造は、インピーダンスの周波数特性が異なる複数のコア部材（例えば、実施形態でのコア部材２）と、前記複数のコア部材に巻かれた巻線部材（例えば、実施形態での巻線部材３）と、を備える。
【０００７】
（２）上記（１）に記載のコイル構造では、前記複数のコア部材は互いに独立しており、前記巻線部材は、前記複数のコア部材に順次巻かれてもよい。
【０００８】
（３）上記（１）に記載のコイル構造では、前記複数のコア部材は一体に単一のコア（例えば、実施形態でのコア７）を形成しており、前記巻線部材は、前記コアに巻かれてもよい。
【０００９】
（４）上記（３）に記載のコイル構造では、前記コアは環状に形成され、前記複数のコア部材は、前記コアの軸方向に積層されて、前記コアを形成してもよい。
【００１０】
（５）上記（３）に記載のコイル構造では、前記コアは環状に形成され、前記複数のコア部材は、前記コアの軸方向に直交する方向に積層されて、前記コアを形成してもよい。
【００１１】
（６）上記（１）〜（５）の何れか一項に記載のコイル構造では、前記巻線部材は複数の導体（例えば、実施形態での芯線３ａおよびシールド編組線３ｃ、芯線８ａと第１および第２シールド編組線８ｃ，８ｅ、第１および第２導線９ａ，９ｂ）を備え、前記複数の導体はバイファイラ巻きまたはキャンセル巻きによって、前記複数のコア部材に巻かれてしてもよい。
【００１２】
（７）上記（６）に記載のコイル構造では、前記複数の導体は絶縁材（例えば、実施形態での絶縁層３ｂ、第１および第２絶縁層８ｂ，８ｄ）を介して同軸に配置されて同軸ケーブルを形成しており、前記複数の導体はバイファイラ巻きによって、前記複数のコア部材に巻かれてもよい。
【００１３】
（８）上記（７）に記載のコイル構造では、前記同軸ケーブルはインピーダンス整合されてもよい。
【００１４】
（９）本発明の一態様に係る電子機器は、上記（１）〜（８）の何れか一項に記載のコイル構造を有し、コモンモードノイズまたはノーマルモードノイズを減衰させる減衰手段（例えば、実施形態での第１〜第３コモンモードチョークコイル３３，３４，３５）を備える。
【発明の効果】
【００１５】
上記（１）に記載の態様に係るコイル構造によれば、複数のコア部材の複数の異なるインピーダンスの周波数特性を加算したような特性を生成することができ、広範囲の周波数帯域に対して所望のインピーダンス特性を確保することができる。
【００１６】
さらに、上記（２）の場合、コイル構造の構成が複雑化することを防ぐことができる。
【００１７】
さらに、上記（３）から上記（５）の何れかの場合、コイル構造を小型化することができる。さらに、巻線部材を単一のコアに巻きつけるだけで、複数のコア部材に巻きつけることができ、巻線部材を巻きつける工程を簡略化することができる。
【００１８】
さらに、上記（６）の場合、広範囲の周波数帯域に対して適正に、コモンモードノイズを減衰させつつノーマルモードノイズを減衰させずに通過させる、または、ノーマルモードノイズを減衰させつつコモンモードノイズを減衰させずに通過させる、ことができる。
【００１９】
さらに、上記（７）の場合、コイル構造の構成を簡略化することができる。
【００２０】
さらに、上記（８）の場合、ノーマルモードインピーダンスを低減することができる。
【００２１】
上記（９）に記載の態様に係る電子機器によれば、コモンモードノイズまたはノーマルモードノイズを適正に減衰させることができる。
【図面の簡単な説明】
【００２２】
【図１】本発明の実施形態に係るコイル構造をコア部材の軸方向から見た平面図である。
【図２】本発明の実施形態に係るコイル構造の巻線部材の構成図である。
【図３】本発明の実施形態に係るコイル構造のコモンモードインピーダンスの周波数特性とノーマルモードインピーダンスの周波数特性とを示すグラフ図である。
【図４】本発明の実施形態の第１変形例に係るコイル構造をコア部材の軸方向から見た平面図とコア部材の軸方向に直交する方向から見た平面図とである。
【図５】本発明の実施形態の第１変形例に係るコイル構造のコモンモードインピーダンスの周波数特性とノーマルモードインピーダンスの周波数特性とを示すグラフ図である。
【図６】本発明の実施形態の第２変形例に係るコイル構造をコア部材の軸方向から見た平面図である。
【図７】本発明の実施形態の第２変形例に係るコイル構造のコモンモードインピーダンスの周波数特性とノーマルモードインピーダンスの周波数特性とを示すグラフ図である。
【図８】本発明の実施形態の第３変形例に係るコイル構造の巻線部材の構成図である。
【図９】本発明の実施形態の第４変形例に係るコイル構造をコア部材の軸方向から見た平面図である。
【図１０】本発明の実施形態の第５変形例に係るコイル構造をコア部材の軸方向から見た平面図である。
【図１１】本発明の実施形態の電子機器の構成図である。
【発明を実施するための形態】
【００２３】
以下、本発明の一実施形態に係るコイル構造および電子機器について添付図面を参照しながら説明する。
【００２４】
本実施形態によるコイル構造１は、図１に示すように、インピーダンスの周波数特性が異なる複数のコア部材２と、複数のコア部材２に巻かれた巻線部材３と、を備えている。
本実施形態によるコイル構造１において、例えば、複数のコア部材２は互いに独立しており、巻線部材３は、複数のコア部材２に順次巻かれている。
【００２５】
複数のコア部材２は、例えば、Ｍｎ−Ｚｎ系の第１コア部材２ａと、Ｎｉ−Ｚｎ系の第２コア部材２ｂと、を備えている。第１コア部材２ａおよび第２コア部材２ｂは、例えば、円環状の形状を有し、巻線部材３が周方向に進むらせん状に同じ向きに巻かれている。
【００２６】
巻線部材３は、図２に示すように、同軸ケーブルであって、導体から成る芯線３ａと、芯線３ａを覆う誘電体から成る絶縁層３ｂと、絶縁層３ｂを覆う導体から成るシールド編組線３ｃと、シールド編組線３ｃを覆う絶縁材から成る保護被膜３ｄと、を備えている。巻線部材３は、芯線３ａとシールド編組線３ｃとを、単相の２つの信号線としている。これによって、芯線３ａおよびシールド編組線３ｃは、第１コア部材２ａおよび第２コア部材２ｂにバイファイラ巻きによって巻かれた２つの信号線を成している。
例えば、巻線部材３の芯線３ａおよびシールド編組線３ｃは、適宜の電子機器５に接続された２つの信号線５ａ，５ｂに接続されるとともに、巻線部材３の特性インピーダンスと同一の所定の終端抵抗値（例えば、５０Ωなど）を有する終端抵抗６に接続されて終端されている。なお、適宜の電子機器５は、例えばインピーダンスの計測に用いられるものであれば、ベクトルシグナルアナライザやスペクトラムアナライザやオシロスコープなどの計測器である。
【００２７】
コイル構造１のコモンモードインピーダンスの周波数特性は、図３（Ａ）に示す実測値のように、低周波用の第１コア部材２ａおよび高周波用の第２コア部材２ｂのコモンモードインピーダンスの周波数特性を加算または合成したようなインピーダンス特性となる。
コイル構造１のノーマルモードインピーダンスの周波数特性は、図３（Ｂ）に示す実測値のように、例えばＡＭラジオおよびＦＭラジオの周波数帯域（ＡＭ帯およびＦＭ帯）を含む広帯域において、巻線部材３の特性インピーダンスと同一の所定の終端抵抗値（例えば、５０Ωなど）にほぼ一致する特性となる。
【００２８】
これらによって、コイル構造１は、コモンモードチョークコイルまたはノーマルモードチョークコイルとして機能する。例えば、巻線部材３の２つの信号線を成す芯線３ａおよびシールド編組線３ｃに、互いに同方向に電流が流れるようにして外部の信号線が通常接続された場合には、コモンモードノイズを減衰させつつノーマルモードノイズを減衰させずに通過させる。一方、巻線部材３の２つの信号線を成す芯線３ａおよびシールド編組線３ｃに、互いに反対方向に電流が流れるようにして（つまり、ディファレンシャルモードで電流が流れるようにして）外部の信号線が通常とは逆に接続された場合には、ノーマルモードノイズを減衰させつつコモンモードノイズを減衰させずに通過させる。
【００２９】
上述したように、本実施形態によるコイル構造１によれば、複数のコア部材２（例えば低周波用の第１コア部材２ａおよび高周波用の第２コア部材２ｂ）のコモンモードインピーダンスの周波数特性を加算、合成したようなコモンモードインピーダンス特性を確保することができる。これによって、例えばＡＭ帯およびＦＭ帯を含む広帯域において、複数の帯域毎に専用のコイル構造を設ける必要無しに、かつノーマルモードインピーダンスを増大させること無しに、所望のコモンモードインピーダンスを適正に確保することができる。
さらに、巻線部材３を成す同軸ケーブルはインピーダンス整合されているので、ノーマルモードインピーダンスを、より一層、低減することができる。
さらに、巻線部材３は複数のコア部材２に順次巻かれているだけの単純な構成であるので、コイル構造１の構成が複雑化することを防ぐことができる。
【００３０】
（第１変形例）
なお、上述した実施形態において、複数のコア部材２は一体に単一のコア７を形成し、巻線部材３は単一のコア７に巻かれてもよい。
例えば図４（Ａ），（Ｂ）に示す第１変形例のコイル構造１において、第１コア部材２ａおよび第２コア部材２ｂは、互いに同一の内径および外径の円環状の形状を有している。第１コア部材２ａおよび第２コア部材２ｂは、互いの中心軸Ｏを同軸にして、巻線部材３の中心軸Ｐの軸方向に直交する方向（つまり第１コア部材２ａおよび第２コア部材２ｂの中心軸Ｏの軸方向）に積層されて、単一のコア７を形成している。
【００３１】
第１変形例のコイル構造１のコモンモードインピーダンスの周波数特性は、図５（Ａ）に示す実測値のように、低周波用の第１コア部材２ａおよび高周波用の第２コア部材２ｂのコモンモードインピーダンスの周波数特性を加算したような特性となる。
第１変形例のコイル構造１のノーマルモードインピーダンスの周波数特性は、図５（Ｂ）に示す実測値のように、例えばＡＭ帯およびＦＭ帯を含む広帯域において、巻線部材３の特性インピーダンスと同一の所定の終端抵抗値（例えば、５０Ωなど）にほぼ一致する特性となる。
この第１変形例によれば、コイル構造１を小型化することができる。さらに、巻線部材３を単一のコア７に巻きつけるだけで、複数のコア部材２に巻きつけることができ、巻線部材３を巻きつける工程を簡略化することができる。
【００３２】
（第２変形例）
なお、上述した実施形態において、複数のコア部材２は一体に単一のコア７を形成し、巻線部材３は単一のコア７に巻かれてもよい。
例えば図６（Ａ），（Ｂ）に示す第２変形例のコイル構造１において、第１コア部材２ａおよび第２コア部材２ｂは、互いに異なる内径および外径の円環状の形状を有している。第１コア部材２ａの外径は第２コア部材２ｂの内径よりも僅かに小さく形成されている。第１コア部材２ａおよび第２コア部材２ｂは、互いの中心軸Ｏを同軸にして、第１コア部材２ａおよび第２コア部材２ｂの中心軸Ｏに直交する方向つまり径方向に積層されて、単一のコア７を形成している。
【００３３】
第２変形例のコイル構造１のコモンモードインピーダンスの周波数特性は、図７（Ａ）に示す実測値のように、低周波用の第１コア部材２ａおよび高周波用の第２コア部材２ｂのコモンモードインピーダンスの周波数特性を加算したような特性となる。
第２変形例のコイル構造１のノーマルモードインピーダンスの周波数特性は、図７（Ｂ）に示す実測値のように、例えばＡＭ帯およびＦＭ帯を含む広帯域において、巻線部材３の特性インピーダンスと同一の所定の終端抵抗値（例えば、５０Ωなど）にほぼ一致する特性となる。
この第２変形例によれば、コイル構造１を小型化することができる。さらに、巻線部材３を単一のコア７に巻きつけるだけで、複数のコア部材２に巻きつけることができ、巻線部材３を巻きつける工程を簡略化することができる。
なお、この第２変形例においては、低周波用の第１コア部材２ａを高周波用の第２コア部材２ｂの内周側に配置したが、これに限定されず、高周波用の第２コア部材２ｂを低周波用の第１コア部材２ａの内周側に配置してもよい。この場合、第２コア部材２ｂの外径は第１コア部材２ａの内径よりも僅かに小さく形成されている。
【００３４】
（第３変形例）
なお、上述した実施形態、第１および第２変形例において、巻線部材３は、芯線３ａとシールド編組線３ｃとを単相の２つの信号線としたが、多相の３つ以上の信号線を有するように形成されてもよい。
例えば図８に示す第３変形例のコイル構造１の巻線部材３は、同軸ケーブルであって、導体から成る芯線８ａと、芯線８ａを覆う誘電体から成る第１絶縁層８ｂと、第１絶縁層８ｂを覆う導体から成る第１シールド編組線８ｃと、第１シールド編組線８ｃを覆う誘電体から成る第２絶縁層８ｄと、第２絶縁層８ｄを覆う導体から成る第２シールド編組線８ｅと、第２シールド編組線８ｅを覆う絶縁材から成る保護被膜８ｆと、を備えている。巻線部材３は、芯線８ａと第１および第２シールド編組線８ｃ，８ｅとを、３相の３つの信号線としている。これによって、芯線８ａと第１および第２シールド編組線８ｃ，８ｅとは、第１コア部材２ａおよび第２コア部材２ｂにバイファイラ巻きによって巻かれた３つの信号線を成している。
この第３変形例によれば、例えば３相のモータなどの多相の回路に対してコイル構造１を用いることができる。
【００３５】
（第４変形例）
なお、上述した実施形態、第１および第２変形例において、巻線部材３は同軸ケーブルに限定されず、独立した複数の導体から成る複数の導線９を備えていてもよい。さらに、複数の導線９は、一対の導線９に対してはバイファイラ巻きに限定されず、キャンセル巻きによって複数のコア部材２に巻かれてもよい。さらに、キャンセル巻きの場合には、一対の導線９は、互いに同相電圧が発生するように巻かれてもよいし、互いに逆相電圧が発生するように巻かれてもよい。
例えば図９に示す第４変形例のコイル構造１において、第１コア部材２ａおよび第２コア部材２ｂは、互いに異なる内径および外径の円環状の形状を有している。第１コア部材２ａの外径は第２コア部材２ｂの内径よりも僅かに小さく形成されている。第１コア部材２ａおよび第２コア部材２ｂは、互いの中心軸Ｏを同軸にして、第１コア部材２ａおよび第２コア部材２ｂの中心軸Ｏに直交する方向つまり径方向に積層されて、単一のコア７を形成している。
巻線部材３は、２つの第１および第２導線９ａ，９ｂを備え、２つの第１および第２導線９ａ，９ｂは、周方向の第１方向および第２方向（つまり周方向の互いに反対方向）に進むらせん状に同じ向き、つまり互いに逆相電圧が発生するように巻かれている。
この図９に示す第４変形例のコイル構造１は、ノーマルモードチョークコイルとして機能し、外部の信号線が通常接続された場合には、ノーマルモードノイズを減衰させつつコモンモードノイズを減衰させずに通過させる。
【００３６】
（第５変形例）
なお、上述した実施形態、第１および第２変形例において、巻線部材３は複数の導体に限定されず、単一の導体から成る単一の導線９を備えていてもよい。
例えば図１０に示す第５変形例のコイル構造１において、単一の導線９は、順次、第１コア部材２ａおよび第２コア部材２ｂに、周方向に進むらせん状に同じ向きに巻かれている。この図１０に示す第５変形例のコイル構造１は、インダクタとして機能する。
この第５変形例によれば、単線のコイルのインピーダンス特性を広帯域化することができる。
【００３７】
本実施形態によるコイル構造１は、電子機器、例えば車両などに搭載される電気電子コンポーネント１０から発生する電磁妨害（ＥＭＩ：Electro Magnetic Interference）波のうち接続線を介して伝搬する伝導性妨害波（伝導性エミッション）を測定する電磁妨害波測定装置２０に備えられている。
【００３８】
例えば、後述する第１および第３コモンモードチョークコイル３３，３５は、上述した実施形態、第１および第２変形例のうちの何れかのコイル構造１を備えている。
例えば、後述する第２コモンモードチョークコイル３４は、上述した第４変形例の図９に示すコイル構造１を備えている。
例えば、後述する巻線４３，５３は、上述した第５変形例のコイル構造１を備えている。
【００３９】
電磁妨害波測定装置２０は、図１１に示すように、コモンモードノイズ検出部２１と、第１ノーマルモードノイズ検出部２２と、第２ノーマルモードノイズ検出部２３と、電源２４と、を備えている。
【００４０】
コモンモードノイズ検出部２１は、例えば、ノイズ分離部３１と、電子計測器３２と、を備えている。
ノイズ分離部（ＣｏｍｍｏｎＬＩＳＮ）３１は、例えば、ラインインピーダンス安定化回路網（ＬＩＳＮ：Line Impedance Stabilisation Networks）などを備え、電気電子コンポーネント１０に接続されたハイ側およびロー側入力端子２１Ｈ，２１Ｌに生じるノイズをコモンモードノイズとノーマルモードノイズとに分離する。そして、分離したコモンモードノイズをハイ側およびロー側コモンモード出力端子２１ＣＨ，２１ＣＬに出力し、分離したノーマルモードノイズをハイ側およびロー側ノーマルモード出力端子２１ＮＨ，２１ＮＬに出力する。
【００４１】
ノイズ分離部３１は、例えば、３つの第１〜第３コモンモードチョークコイル３３，３４，３５と、１対のコンデンサ３６Ｈ，３６Ｌと、１対の抵抗３７Ｈ，３７Ｌと、終端抵抗切替スイッチ３８と、切替終端抵抗３９と、を備えている。
【００４２】
第１コモンモードチョークコイル３３は、例えば、１対の巻線３３Ｈ，３３Ｌと、コア３３Ｃと、を備えている。
コア３３Ｃを介して電磁結合する１対の巻線３３Ｈ，３３Ｌは、例えば、ノーマルモードノイズに対してインダクタンスを示さないようにして、コモンモードノイズに対するインダクタンスがノーマルモードノイズに対するインダクタンスよりも大きくなるように巻回されている。
巻線３３Ｈは、ハイ側入力端子２１Ｈとハイ側ノーマルモード出力端子２１ＮＨとを接続するノーマルモード接続線２１ＮＡに挿入され、巻線３３Ｌは、ロー側入力端子２１Ｌとロー側ノーマルモード出力端子２１ＮＬとを接続するノーマルモード接続線２１ＮＢに挿入されている。
【００４３】
第１コモンモードチョークコイル３３は、例えば、ノーマルモード接続線２１ＮＡ，２１ＮＢ間に相互インダクタンスを発生させることによって、コモンモードノイズを減衰させ、ノーマルモードノイズを減衰させずに通過させる。
【００４４】
巻線３３Ｈ，３３Ｌは、例えば同軸ケーブルにて構成され、コモンモードノイズの減衰量を保ちつつ、ノーマルモードノイズの減衰を抑える。さらに、巻線３３Ｈ，３３Ｌは、例えば、同軸ケーブルの終端をインピーダンス整合することで、ノーマルモードノイズの減衰を、さらに抑えることができる。
【００４５】
第２コモンモードチョークコイル３４は、例えば、１対の巻線３４Ｈ，３４Ｌと、コア３４Ｃと、を備えている。
コア３４Ｃを介して電磁結合する１対の巻線３４Ｈ，３４Ｌは、例えば、コモンモードノイズに対してインダクタンスを示さないようにして、ノーマルモードノイズに対するインダクタンスがコモンモードノイズに対するインダクタンスよりも大きくなるように巻回されている。
【００４６】
第３コモンモードチョークコイル３５は、例えば、１対の巻線３５Ｈ，３５Ｌと、コア３５Ｃと、を備えている。
コア３５Ｃを介して電磁結合する１対の巻線３５Ｈ，３５Ｌは、例えば、ノーマルモードノイズに対してインダクタンスを示さないようにして、コモンモードノイズに対するインダクタンスがノーマルモードノイズに対するインダクタンスよりも大きくなるように巻回されている。
巻線３５Ｈ，３５Ｌは、例えば同軸ケーブルにて構成され、コモンモードノイズの減衰量を保ちつつ、ノーマルモードノイズの減衰を抑える。さらに、巻線３５Ｈ，３５Ｌは、例えば、同軸ケーブルの終端をインピーダンス整合することで、ノーマルモードノイズの減衰を、さらに抑えることができる。
【００４７】
コンデンサ３６Ｈと、巻線３４Ｈと、巻線３５Ｈとは、例えば、順次直列に接続され、ハイ側入力端子２１Ｈと接地点とを接続するコモンモード接続線２１ＣＡに挿入され、コンデンサ３６Ｌと、巻線３４Ｌと、巻線３５Ｌとは、例えば、順次直列に接続され、ロー側入力端子２１Ｌと接地点とを接続するコモンモード接続線２１ＣＢに挿入されている。
【００４８】
第２コモンモードチョークコイル３４の１対の巻線３４Ｈ，３４Ｌは、例えば、互いに逆相電圧が発生するように巻回されて、コモンモード接続線２１ＣＡ，２１ＣＢに挿入されている。
第２コモンモードチョークコイル３４は、例えば、コモンモード接続線２１ＣＡ，２１ＣＢ間に相互インダクタンスを発生させることによって、ノーマルモードノイズを減衰させ、コモンモードノイズを減衰させずに通過させる。
【００４９】
第３コモンモードチョークコイル３５の巻線３５Ｈの両端はハイ側およびロー側コモンモード出力端子２１ＣＨ，２１ＣＬに接続されている。
抵抗３７Ｈは、例えば、第３コモンモードチョークコイル３５の巻線３５Ｈの両端間に接続され、抵抗３７Ｌは、例えば、第３コモンモードチョークコイル３５の巻線３５Ｌの両端間に接続されている。
【００５０】
第３コモンモードチョークコイル３５は、例えば、コモンモード接続線２１ＣＡ，２１ＣＢ間に相互インダクタンスを発生させることによって、ノーマルモードノイズを接地点へと通過（接地短絡）させる。
第３コモンモードチョークコイル３５および１対の抵抗３７Ｈ，３７Ｌは、例えば、トランス機能によって、コモンモードノイズによる抵抗３７Ｌの両端間の電圧をハイ側およびロー側コモンモード出力端子２１ＣＨ，２１ＣＬ間に誘起する。
【００５１】
終端抵抗切替スイッチ３８と切替終端抵抗３９とは、例えば、ハイ側およびロー側コモンモード出力端子２１ＣＨ，２１ＣＬ間に直列に接続されている。
【００５２】
電子計測器３２は、例えば、ベクトルシグナルアナライザやスペクトラムアナライザやオシロスコープなどのようにノイズの大きさ（レベルなど）を時間変動分も含めて数値化する計測器を備え、ハイ側およびロー側コモンモード出力端子２１ＣＨ，２１ＣＬから出力されるノイズ（例えば、コモンモードノイズ）の電圧などを計測する。
電子計測器３２は、例えば、ハイ側およびロー側コモンモード出力端子２１ＣＨ，２１ＣＬ間を接続する終端抵抗３２Ｒを備えている。
【００５３】
電子計測器３２は、例えば、終端抵抗切替スイッチ３８の開放状態では、終端抵抗３２Ｒの抵抗値（例えば、５０Ωなど）に応じた第１終端抵抗値（例えば、５０Ωなど）でコモンモードノイズを計測する。一方、終端抵抗切替スイッチ３８の閉接状態では、切替終端抵抗３９の抵抗値（例えば、終端抵抗３２Ｒの抵抗値と同一の５０Ωなど）および終端抵抗３２Ｒの抵抗値（例えば、５０Ωなど）の合成に応じた第２終端抵抗値（例えば、２５Ωなど）でコモンモードノイズを計測する。
【００５４】
電子計測器３２は、例えば、終端抵抗切替スイッチ３８の開放と閉接との切り替えに伴う終端抵抗値の変化に応じた計測結果の変化に基づき、単体の電気電子コンポーネント１０におけるコモンモードノイズの内部インピーダンスを推定する。
そして、内部インピーダンスの推定結果に基づき、単体の電気電子コンポーネント１０におけるコモンモードノイズの出力電圧を推定する。
【００５５】
例えば、単体の電気電子コンポーネント１０において適宜の内部インピーダンスＩｍ（ｘ）を有する適宜の出力電圧Ｖ（ｘ）のコモンモードノイズに対して、第１終端抵抗値（例えば、５０Ωなど）および第２終端抵抗値（例えば、２５Ωなど）でのコモンモードノイズの電圧の計測結果は、例えば下記数式（１）に示すように、Ｖ（５０Ω）とＶ（２５Ω）とに変化する。
すなわち、終端抵抗切替スイッチ３８の開放と閉接との切り替えによって終端抵抗値が第１終端抵抗値（例えば、５０Ωなど）と第２終端抵抗値（例えば、２５Ωなど）とに変化すると、内部インピーダンスＩｍ（ｘ）と終端抵抗値との分圧比が変化する。そして、この分圧比の変化に応じて、コモンモードノイズの電圧の計測結果がＶ（５０Ω）とＶ（２５Ω）とに変化する。
【００５６】
【数１】
2014160704.tif 000003
【００５７】
電子計測器３２は、例えば、コモンモードノイズの電圧の計測結果がＶ（５０Ω）とＶ（２５Ω）とに変化することによる変化量ΔＶに基づき、例えば下記数式（２）に示すように、単体の電気電子コンポーネント１０におけるコモンモードノイズの内部インピーダンスＩｍ（２５Ω→５０Ω）を推定する。
【００５８】
【数２】
2014160704.tif 000004
【００５９】
なお、終端抵抗切替スイッチ３８の開放と閉接との切り替えによって変化する第１終端抵抗値と第２終端抵抗値とは、内部インピーダンスＩｍ（ｘ）などに応じて最適な値が変更されてもよい。
電磁妨害波測定装置２０と電気電子コンポーネント１０との間における電磁妨害波の反射を抑制するために、電磁妨害波測定装置２０と電気電子コンポーネント１０との間のハーネスなどによる接続の距離が所定距離（例えば、電磁妨害波の波長λによるλ／１０またはλ／２０など）以下に設定されてもよい。
【００６０】
電子計測器３２は、例えば下記数式（３）に示すように、コモンモードノイズの内部インピーダンスＩｍ（２５Ω→５０Ω）と、第１終端抵抗値（例えば、５０Ωなど）でのコモンモードノイズの電圧の計測結果（例えば、Ｖ（５０Ω）など）とに基づき、コモンモードノイズの出力電圧Ｐ（５０Ω）を推定する。
【００６１】
【数３】
2014160704.tif 000005
【００６２】
第１ノーマルモードノイズ検出部２２は、例えば、擬似電源回路網４１と、電子計測器４２と、を備えている。
擬似電源回路網（ＮｏｒｍａｌＬＩＳＮ）４１は、例えば、ラインインピーダンス安定化回路網（ＬＩＳＮ：Line Impedance Stabilisation Networks）などを備え、コモンモードノイズ検出部２１のハイ側ノーマルモード出力端子２１ＮＨに接続されたハイ側ノーマルモード入力端子２２Ｈと、電源２４の正極に接続されたハイ側電源端子２２ＰＨと、第１ハイ側およびロー側ノーマルモード出力端子２２ＮＨ，２２ＮＬと、を備えている。
【００６３】
擬似電源回路網４１は、例えば、巻線４３と、第１コンデンサ４４および第１抵抗４５と、第２コンデンサ４６および第２抵抗４７と、終端抵抗切替スイッチ４８と、切替終端抵抗４９と、を備えている。
【００６４】
巻線４３は、例えば、ハイ側ノーマルモード入力端子２２Ｈとハイ側電源端子２２ＰＨとを接続する接続線２２ＨＬに挿入されている。
ハイ側ノーマルモード入力端子２２Ｈは、例えば、順次直列に接続された第１コンデンサ４４と第１抵抗４５とを介して接地点に接続されている。
ハイ側電源端子２２ＰＨは、例えば、順次直列に接続された第２コンデンサ４６と第２抵抗４７とを介して接地点に接続されている。
【００６５】
第１抵抗４５の両端は第１ハイ側およびロー側ノーマルモード出力端子２２ＮＨ，２２ＮＬに接続されている。
終端抵抗切替スイッチ４８と切替終端抵抗４９とは、例えば、第１ハイ側およびロー側ノーマルモード出力端子２２ＮＨ，２２ＮＬ間に直列に接続されている。
【００６６】
電子計測器４２は、例えば、ベクトルシグナルアナライザやスペクトラムアナライザやオシロスコープなどのようにノイズの大きさ（レベルなど）を時間変動分も含めて数値化する計測器を備え、第１ハイ側およびロー側ノーマルモード出力端子２２ＮＨ，２２ＮＬから出力されるノイズ（例えば、ハイ側のノーマルモードノイズ）の電圧などを計測する。
電子計測器４２は、例えば、第１ハイ側およびロー側ノーマルモード出力端子２２ＮＨ，２２ＮＬ間を接続する終端抵抗４２Ｒを備えている。
【００６７】
電子計測器４２は、例えば、終端抵抗切替スイッチ４８の開放状態では、終端抵抗４２Ｒの抵抗値（例えば、５０Ωなど）に応じた第１終端抵抗値（例えば、５０Ωなど）でハイ側のノーマルモードノイズを計測する。一方、終端抵抗切替スイッチ４８の閉接状態では、切替終端抵抗４９の抵抗値（例えば、終端抵抗４２Ｒの抵抗値と同一の５０Ωなど）および終端抵抗４２Ｒの抵抗値（例えば、５０Ωなど）の合成に応じた第２終端抵抗値（例えば、２５Ωなど）でハイ側のノーマルモードノイズを計測する。
【００６８】
電子計測器４２は、例えば、電子計測器３２によるコモンモードノイズの計測と同様にして、終端抵抗切替スイッチ４８の開放と閉接との切り替えに伴う終端抵抗値の変化に応じた計測結果の変化に基づき、単体の電気電子コンポーネント１０におけるハイ側のノーマルモードノイズの内部インピーダンスを推定する。
そして、内部インピーダンスの推定結果に基づき、単体の電気電子コンポーネント１０におけるハイ側のノーマルモードノイズの出力電圧を推定する。
【００６９】
電子計測器４２は、例えば、単体の電気電子コンポーネント１０において適宜の内部インピーダンスＩｍ（ｘ）を有する適宜の出力電圧Ｖ（ｘ）のハイ側のノーマルモードノイズに対して、例えば上記数式（１）に示すように、第１終端抵抗値（例えば、５０Ωなど）および第２終端抵抗値（例えば、２５Ωなど）でのハイ側のノーマルモードノイズの電圧の計測結果であるＶ（５０Ω）およびＶ（２５Ω）を取得する。
そして、電子計測器４２は、例えば、ハイ側のノーマルモードノイズの電圧の計測結果がＶ（５０Ω）とＶ（２５Ω）とに変化することによる変化量ΔＶに基づき、例えば上記数式（２）に示すように、単体の電気電子コンポーネント１０におけるハイ側のノーマルモードノイズの内部インピーダンスＩｍ（２５Ω→５０Ω）を推定する。
そして、電子計測器４２は、例えば上記数式（３）に示すように、ハイ側のノーマルモードノイズの内部インピーダンスＩｍ（２５Ω→５０Ω）と、第１終端抵抗値（例えば、５０Ωなど）でのハイ側のノーマルモードノイズの電圧の計測結果（例えば、Ｖ（５０Ω）など）とに基づき、ハイ側のノーマルモードノイズの出力電圧Ｐ（５０Ω）を推定する。
【００７０】
第２ノーマルモードノイズ検出部２３は、例えば、擬似電源回路網５１と、電子計測器５２と、を備えている。
擬似電源回路網（ＮｏｒｍａｌＬＩＳＮ）５１は、例えば、ラインインピーダンス安定化回路網（ＬＩＳＮ：Line Impedance Stabilisation Networks）などを備え、コモンモードノイズ検出部２１のロー側ノーマルモード出力端子２１ＮＬに接続されたロー側ノーマルモード入力端子２２Ｌと、電源２４の負極に接続されたロー側電源端子２３ＰＬと、第２ハイ側およびロー側ノーマルモード出力端子２３ＮＨ，２３ＮＬと、を備えている。
【００７１】
擬似電源回路網５１は、例えば、巻線５３と、第１コンデンサ５４および第１抵抗５５と、第２コンデンサ５６および第２抵抗５７と、終端抵抗切替スイッチ５８と、切替終端抵抗５９と、を備えている。
【００７２】
巻線５３は、例えば、ロー側ノーマルモード入力端子２３Ｌとロー側電源端子２２ＰＬとを接続する接続線２３ＬＬに挿入されている。
ロー側ノーマルモード入力端子２３Ｌは、例えば、順次直列に接続された第１コンデンサ５４と第１抵抗５５とを介して接地点に接続されている。
ロー側電源端子２２ＰＬは、例えば、順次直列に接続された第２コンデンサ５６と第２抵抗５７とを介して接地点に接続されている。
【００７３】
第１抵抗５５の両端は第２ハイ側およびロー側ノーマルモード出力端子２３ＮＨ，２３ＮＬに接続されている。
終端抵抗切替スイッチ５８と切替終端抵抗５９とは、例えば、第２ハイ側およびロー側ノーマルモード出力端子２３ＮＨ，２３ＮＬ間に直列に接続されている。
【００７４】
電子計測器５２は、例えば、ベクトルシグナルアナライザやスペクトラムアナライザやオシロスコープなどのようにノイズの大きさ（レベルなど）を時間変動分も含めて数値化する計測器を備え、第２ハイ側およびロー側ノーマルモード出力端子２３ＮＨ，２３ＮＬから出力されるノイズ（例えば、ロー側のノーマルモードノイズ）の電圧などを計測する。
電子計測器５２は、例えば、第２ハイ側およびロー側ノーマルモード出力端子２３ＮＨ，２３ＮＬ間を接続する終端抵抗５２Ｒを備えている。
【００７５】
電子計測器５２は、例えば、終端抵抗切替スイッチ５８の開放状態では、終端抵抗５２Ｒの抵抗値（例えば、５０Ωなど）に応じた第１終端抵抗値（例えば、５０Ωなど）でロー側のノーマルモードノイズを計測する。一方、終端抵抗切替スイッチ５８の閉接状態では、切替終端抵抗５９の抵抗値（例えば、終端抵抗５２Ｒの抵抗値と同一の５０Ωなど）および終端抵抗５２Ｒの抵抗値（例えば、５０Ωなど）の合成に応じた第２終端抵抗値（例えば、２５Ωなど）でロー側のノーマルモードノイズを計測する。
【００７６】
電子計測器５２は、例えば、電子計測器４２によるハイ側のノーマルモードノイズの計測と同様にして、終端抵抗切替スイッチ５８の開放と閉接との切り替えに伴う終端抵抗値の変化に応じた計測結果の変化に基づき、単体の電気電子コンポーネント１０におけるロー側のノーマルモードノイズの内部インピーダンスを推定する。
そして、内部インピーダンスの推定結果に基づき、単体の電気電子コンポーネント１０におけるロー側のノーマルモードノイズの出力電圧を推定する。
【００７７】
電子計測器５２は、例えば、単体の電気電子コンポーネント１０において適宜の内部インピーダンスＩｍ（ｘ）を有する適宜の出力電圧Ｖ（ｘ）のロー側のノーマルモードノイズに対して、例えば上記数式（１）に示すように、第１終端抵抗値（例えば、５０Ωなど）および第２終端抵抗値（例えば、２５Ωなど）でのロー側のノーマルモードノイズの電圧の計測結果であるＶ（５０Ω）およびＶ（２５Ω）を取得する。
そして、電子計測器５２は、例えば、ロー側のノーマルモードノイズの電圧の計測結果がＶ（５０Ω）とＶ（２５Ω）とに変化することによる変化量ΔＶに基づき、例えば上記数式（２）に示すように、単体の電気電子コンポーネント１０におけるロー側のノーマルモードノイズの内部インピーダンスＩｍ（２５Ω→５０Ω）を推定する。
そして、電子計測器５２は、例えば上記数式（３）に示すように、ロー側のノーマルモードノイズの内部インピーダンスＩｍ（２５Ω→５０Ω）と、第１終端抵抗値（例えば、５０Ωなど）でのロー側のノーマルモードノイズの電圧の計測結果（例えば、Ｖ（５０Ω）など）とに基づき、ロー側のノーマルモードノイズの出力電圧Ｐ（５０Ω）を推定する。
【００７８】
上述したように、本実施形態に係る電磁妨害波測定装置２０によれば、コイル構造１を備えることによって、単体の電気電子コンポーネント１０から発生する伝導性妨害波の計測をコモンモードノイズとノーマルモードノイズとに適正に分離して行なうことができる。これに伴い、コモンモードノイズおよびノーマルモードノイズの内部インピーダンスおよびノイズ源のノイズレベル（例えば、出力電圧など）を精度良く推定することができる。
【００７９】
なお、上述した実施形態において、コイル構造１は電磁妨害波測定装置２０以外の他の電子機器に備えられてもよい。
【００８０】
なお、本発明の技術的範囲は上述した実施形態に限定されるものではなく、本発明の趣旨を逸脱しない範囲において、上述した実施形態に種々の変更を加えたものを含む。すなわち、上述した実施形態の構成はほんの一例に過ぎず、適宜変更が可能である。
【符号の説明】
【００８１】
１  コイル構造
２  コア部材
３  巻線部材
３ａ  芯線（導体）
３ｃ  シールド編組線（導体）
７  コア
８ａ  芯線（導体）
８ｃ  第１シールド編組線（導体）
８ｅ  第２シールド編組線（導体）
８ｂ  第１絶縁層（絶縁材）
８ｄ  第２絶縁層（絶縁材）
１０  電気電子コンポーネント
２０  電磁妨害波測定装置（電子機器）
３３  第１コモンモードチョークコイル（減衰手段）
３４  第２コモンモードチョークコイル（減衰手段）
３５  第３コモンモードチョークコイル（減衰手段）
【図１】
2014160704.tif 000006
【図２】
2014160704.tif 000007
【図３】
2014160704.tif 000008
【図４】
2014160704.tif 000009
【図５】
2014160704.tif 000010
【図６】
2014160704.tif 000011
【図７】
2014160704.tif 000012
【図８】
2014160704.tif 000013
【図９】
2014160704.tif 000014
【図１０】
2014160704.tif 000015
【図１１】
2014160704.tif 000016